【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
画像の第１の組をグループ化するステップと、
主色を決定するよう前記画像の第１の組を解析するステップと、
前記画像の第１の組についての一致色を決定するよう前記主色を複数の色と比較するステップと、
前記一致色において第１のテキストを生成するステップと、
表示のために前記画像の第１の組とともに前記一致色における前記第１のテキストを供給するステップと
を有する方法。
【請求項２】
画像の第２の組をグループ化するステップと、
主色を決定するよう前記画像の第２の組を解析するステップと、
前記画像の第２の組についての一致色を決定するよう前記主色を複数の色と比較するステップと、
前記画像の第２の組についての一致色が前記画像の第１の組についての一致色と同じであるかどうかを判定するステップと
を更に有する請求項１に記載の方法。
【請求項３】
前記画像の第２の組についての一致色が前記画像の第１の組についての一致色とは異なると決定される場合に、前記画像の第２の組についての一致色において第２のテキストを生成するステップと、
表示のために前記画像の第２の組とともに前記一致色における前記第２のテキストを供給するステップと
を更に有する請求項２に記載の方法。
【請求項４】
前記画像の第２の組についての一致色が前記画像の第１の組についての一致色と同じであると決定される場合に、前記画像の第２の組についての代替色において第２のテキストを生成するステップと、
表示のために前記画像の第２の組とともに前記代替色における前記第２のテキストを供給するステップと
を更に有する請求項２に記載の方法。
【請求項５】
前記供給するステップは、表示すること、表示のために記憶すること、及び表示のために送信することのうちの少なくとも１つを含む、
請求項１に記載の方法。
【請求項６】
前記グループ化するステップは、ユーザ入力に応答する、
請求項１に記載の方法。
【請求項７】
前記グループ化するステップは、前記画像の第１の組のグループ化を容易にするために、時間データ、日付データ、位置データ、視覚属性データ、及び画像比較データのうちの少なくとも１つを使用することを含む、
請求項１に記載の方法。
【請求項８】
前記一致色は前記主色である、
請求項１に記載の方法。
【請求項９】
前記一致色は後退色である、
請求項１に記載の方法。
【請求項１０】
前記一致色は支配色である、
請求項１に記載の方法。
【請求項１１】
前記画像の第１の組はビデオである、
請求項１に記載の方法。
【請求項１２】
画像の集合を記憶するメモリと、
前記記憶された画像の集合から画像の第１の組をグループ化し、該画像の第１の組を解析して主色を決定し、該主色を複数の色と比較して前記画像の第１の組についての一致色を決定し、該一致色において第１のテキストを生成し、表示のために前記画像の第１の組とともに前記一致色における前記第１のテキストを供給するプロセッサと
を有する装置。
【請求項１３】
前記プロセッサは、画像の第２の組をグループ化し、該画像の第２の組を解析して主色を決定し、該主色を複数の色と比較して前記画像の第２の組についての一致色を決定し、前記画像の第２の組についての一致色が前記画像の第１の組についての一致色と同じであるかどうかを判定する、
請求項１２に記載の装置。
【請求項１４】
前記プロセッサは、前記画像の第２の組についての一致色が前記画像の第１の組についての一致色とは異なると決定される場合に、前記画像の第２の組についての一致色において第２のテキストを生成し、表示のために前記画像の第２の組とともに前記一致色における前記第２のテキストを供給する、
請求項１３に記載の装置。
【請求項１５】
前記プロセッサは、前記画像の第２の組についての一致色が前記画像の第１の組についての一致色と同じであると決定される場合に、前記画像の第２の組についての代替色において第２のテキストを生成し、表示のために前記画像の第２の組とともに前記代替色における前記第２のテキストを供給する、
請求項１３に記載の装置。
【請求項１６】
前記プロセッサは、前記画像の第１の組とともに前記一致色における前記第１のテキストを表示すること、表示のために記憶すること、及び表示のために送信することのうちの少なくとも１つによって、表示のために前記画像の第１の組とともに前記一致色における前記第１のテキストを供給する、
請求項１２に記載の装置。
【請求項１７】
前記プロセッサは、ユーザ入力に応答して前記画像の第１の組をグループ化する、
請求項１２に記載の装置。
【請求項１８】
前記プロセッサは、時間データ、日付データ、位置データ、視覚属性データ、及び画像比較データのうちの少なくとも１つを用いて前記画像の第１の組をグループ化する、
請求項１２に記載の装置。
【請求項１９】
前記一致色は前記主色である、
請求項１２に記載の装置。
【請求項２０】
前記一致色は後退色である、
請求項１２に記載の装置。
【請求項２１】
前記一致色は支配色である、
請求項１２に記載の装置。
【請求項２２】
前記画像の第１の組はビデオである、
請求項１２に記載の装置。
【手続補正２】
【補正対象書類名】明細書
【補正対象項目名】００５０
【補正方法】変更
【補正の内容】
【００５０】
本願は、２０１３年９月１６日付けで出願された米国特許仮出願第６１／８７８２４５号及び２０１４年５月２７日付けで出願された米国特許仮出願第６２／００３２８１号に基づく優先権を主張するものである。
以下、本願により教示される実施の形態を例示的に示す。
（付記１）
画像の第１の組をグループ化するステップと、
主色を決定するよう前記画像の第１の組を解析するステップと、
前記画像の第１の組についての一致色を決定するよう前記主色を複数の色と比較するステップと、
前記一致色において第１のテキストを生成するステップと、
表示のために前記画像の第１の組とともに前記一致色における前記第１のテキストを供給するステップと
を有する方法。
（付記２）
画像の第２の組をグループ化するステップと、
主色を決定するよう前記画像の第２の組を解析するステップと、
前記画像の第２の組についての一致色を決定するよう前記主色を複数の色と比較するステップと、
前記画像の第２の組についての一致色が前記画像の第１の組についての一致色と同じであるかどうかを判定するステップと
を更に有する付記１に記載の方法。
（付記３）
前記画像の第２の組についての一致色が前記画像の第１の組についての一致色とは異なると決定される場合に、前記画像の第２の組についての一致色において第２のテキストを生成するステップと、
表示のために前記画像の第２の組とともに前記一致色における前記第２のテキストを供給するステップと
を更に有する付記２に記載の方法。
（付記４）
前記画像の第２の組についての一致色が前記画像の第１の組についての一致色と同じであると決定される場合に、前記画像の第２の組についての代替色において第２のテキストを生成するステップと、
表示のために前記画像の第２の組とともに前記代替色における前記第２のテキストを供給するステップと
を更に有する付記２に記載の方法。
（付記５）
前記供給するステップは、表示すること、表示のために記憶すること、及び表示のために送信することのうちの少なくとも１つを含む、
付記１に記載の方法。
（付記６）
前記グループ化するステップは、ユーザ入力に応答する、
付記１に記載の方法。
（付記７）
前記グループ化するステップは、前記画像の第１の組のグループ化を容易にするために、時間データ、日付データ、位置データ、視覚属性データ、及び画像比較データのうちの少なくとも１つを使用することを含む、
付記１に記載の方法。
（付記８）
前記一致色は前記主色である、
付記１に記載の方法。
（付記９）
前記一致色は後退色である、
付記１に記載の方法。
（付記１０）
前記一致色は支配色である、
付記１に記載の方法。
（付記１１）
前記画像の第１の組はビデオである、
付記１に記載の方法。
（付記１２）
画像の集合を記憶するメモリと、
前記記憶された画像の集合から画像の第１の組をグループ化し、該画像の第１の組を解析して主色を決定し、該主色を複数の色と比較して前記画像の第１の組についての一致色を決定し、該一致色において第１のテキストを生成し、表示のために前記画像の第１の組とともに前記一致色における前記第１のテキストを供給するプロセッサと
を有する装置。
（付記１３）
前記プロセッサは、画像の第２の組をグループ化し、該画像の第２の組を解析して主色を決定し、該主色を複数の色と比較して前記画像の第２の組についての一致色を決定し、前記画像の第２の組についての一致色が前記画像の第１の組についての一致色と同じであるかどうかを判定する、
付記１２に記載の装置。
（付記１４）
前記プロセッサは、前記画像の第２の組についての一致色が前記画像の第１の組についての一致色とは異なると決定される場合に、前記画像の第２の組についての一致色において第２のテキストを生成し、表示のために前記画像の第２の組とともに前記一致色における前記第２のテキストを供給する、
付記１３に記載の装置。
（付記１５）
前記プロセッサは、前記画像の第２の組についての一致色が前記画像の第１の組についての一致色と同じであると決定される場合に、前記画像の第２の組についての代替色において第２のテキストを生成し、表示のために前記画像の第２の組とともに前記代替色における前記第２のテキストを供給する、
付記１３に記載の装置。
（付記１６）
前記プロセッサは、前記画像の第１の組とともに前記一致色における前記第１のテキストを表示すること、表示のために記憶すること、及び表示のために送信することのうちの少なくとも１つによって、表示のために前記画像の第１の組とともに前記一致色における前記第１のテキストを供給する、
付記１２に記載の装置。
（付記１７）
前記プロセッサは、ユーザ入力に応答して前記画像の第１の組をグループ化する、
付記１２に記載の装置。
（付記１８）
前記プロセッサは、時間データ、日付データ、位置データ、視覚属性データ、及び画像比較データのうちの少なくとも１つを用いて前記画像の第１の組をグループ化する、
付記１２に記載の装置。
（付記１９）
前記一致色は前記主色である、
付記１２に記載の装置。
（付記２０）
前記一致色は後退色である、
付記１２に記載の装置。
（付記２１）
前記一致色は支配色である、
付記１２に記載の装置。
（付記２２）
前記画像の第１の組はビデオである、
付記１２に記載の装置。